(57)【特許請求の範囲】
【請求項１】
パネル部と、
奇数フィールドと偶数フィールドとで構成されるインタレース信号の処理手段と、
１フィールド期間を複数個のサブフレームに分割し、前記パネル部の上下に隣接する２つのセルを１つの組として、前記インタレース信号の１水平走査ラインに対応する信号で駆動する駆動部と、
前記パネル部の表示負荷率を検出する手段とを有し、
前記駆動部は、前記２つのセルの内の発光強度が小さい方のセルの発光強度の、発光強度が大きい方のセルの発光強度に対する比である２ライン点灯率αを、前記表示負荷率に応じて、前記複数のサブフレームのうちの少なくとも１つのサブフレームで変更するように駆動し、
前記表示負荷率の所定の範囲内における第１の表示負荷率での前記２ライン点灯率α１は、前記第１の表示負荷率よりも大きい第２の表示負荷率での前記２ライン点灯率α２に対して、  ０＜α２＜α１＜１  を満足することを特徴とするプラズマディスプレイモジュール。
【請求項２】
前記処理手段は、プログレッシブ信号を前記インタレース信号に変換する手段を含んで構成したことを特徴とする請求項１に記載のプラズマディスプレイモジュール。
【請求項３】
前記１つの組とする２つのセルが前記奇数フィールドと前記偶数フィールドとで異なり、
前記２つのセルのうち発光輝度の大きいセルが、双方のフィールド共に上側、或いは下側の何れか一方であることを特徴とする請求項１に記載のプラズマディスプレイモジュール。
【請求項４】
前記１つの組とする２つのセルが前記奇数フィールドと前記偶数フィールドとで同一であり、
前記２つのセルのうち発光輝度の大きいセルが、前記奇数フィールドと前記偶数フィールドとで異なることを特徴とする請求項１に記載のプラズマディスプレイモジュール。
【請求項５】
前記表示負荷率が０％近傍において、前記表示負荷率が小さくなるにしたがって、前記２ライン点灯率αが１に近づくように制御することを特徴とする請求項１に記載のプラズマディスプレイモジュール。
【請求項６】
前記所定の範囲の前記表示負荷率は、低負荷率側の表示負荷率であって、
高負荷率側の前記表示負荷率が１００％近傍においては、前記表示負荷率が大きくなるにしたがって、前記２ライン点灯率αが１に近づくように制御することを特徴とする請求項１に記載のプラズマディスプレイモジュール。
【請求項７】
前記表示負荷率が所定値以上においては、前記２つのセルのうちの一方のセルを消灯させるように制御するように構成したことを特徴とする請求項１に記載のプラズマディスプレイモジュール。
【請求項８】
前記表示負荷率に応じて前記２ライン点灯率αを変更するサブフレームは複数個あり、
複数個の前記変更するサブフレームの各々の前記２ライン点灯率αが全て略一定であることを特徴とする請求項１に記載のプラズマディスプレイモジュール。
【請求項９】
前記２つのセル各々における前記複数個のサブフレーム各々の前記２ライン点灯率αを、重み付けの小さい前記サブフレームよりも重み付けの大きい前記サブフレームの方を大きくしたことを特徴とする請求項１に記載のプラズマディスプレイモジュール。
【請求項１０】
前記２つのセルのうちの一方のセルを消灯させる前記表示負荷率の値を設定可能なように構成したことを特徴とする請求項７に記載のプラズマディスプレイモジュール。
【請求項１１】
前記複数個のサブフレームの各々は表示放電期間を有して成り、少なくとも１つのサブフレームでの前記表示放電期間において、前記２つのセルで同時に表示放電を行うようにしたことを特徴とする請求項１に記載のプラズマディスプレイモジュール。
【請求項１２】
前記２つのセル各々における前記複数個のサブフレームの各々の前記表示放電期間での放電回数の比が全て略一定であることを特徴とする請求項１１に記載のプラズマディスプレイモジュール。
【請求項１３】
前記複数個のサブフレームの各々は表示放電期間を有しており、前記２つのセル各々における前記複数個のサブフレームの各々の前記表示放電期間での放電回数の比を、前記表示負荷率に基づいて制御することを特徴とする請求項１に記載のプラズマディスプレイモジュール。
【請求項１４】
前記駆動部は、前記２つのセルの発光重心位置での画像データを、前記処理手段からの入力データと前記２ライン点灯率αとに基づいて前記複数個のサブフレームの各々に対応して演算し、該画像データにより駆動するように構成したことを特徴とする請求項４に記載のプラズマディスプレイモジュール。
【請求項１５】
パネル部と、
奇数フィールドと偶数フィールドとで構成されるインタレース信号の処理手段と、
前記パネル部の表示負荷率を検出する手段とを有するプラズマディスプレイモジュールの駆動方法であって、
１フィールド期間を複数個のサブフレームに分割し、前記パネル部の上下に隣接する２つのセルを１つの組として、前記インタレース信号の１水平走査ラインに対応する信号に基づいて、
前記２つのセルの内の発光強度が小さい方のセルの発光強度の、発光強度が大きい方のセルの発光強度に対する比である２ライン点灯率αを、前記表示負荷率に応じて、前記複数のサブフレームのうちの少なくとも１つのサブフレームで変更するように駆動し、
前記表示負荷率の所定の範囲内における第１の表示負荷率での前記２ライン点灯率α１は、前記第１の表示負荷率よりも大きい第２の表示負荷率での前記２ライン点灯率α２に対して、  ０＜α２＜α１＜１  を満足することを特徴とするプラズマディスプレイモジュールの駆動方法。
【請求項１６】
前記処理手段は、プログレッシブ信号を前記インタレース信号に変換する手段を含んで構成され、プログレッシブ信号とインタレース信号の何れの入力信号に対しても駆動可能としたことを特徴とする請求項１５に記載のプラズマディスプレイモジュールの駆動方法。
【請求項１７】
パネル部と、
奇数フィールドと偶数フィールドとで構成されるインタレース信号の処理手段と、
１フィールド期間を複数個のサブフレームに分割し、前記パネル部の上下に隣接する２つのセルを１つの組として、前記インタレース信号の１水平走査ラインに対応する信号で駆動する駆動部と、
前記パネル部の表示負荷率を検出する手段と、
前記２つのセルの内の発光強度が小さい方のセルの発光強度の、発光強度が大きい方のセルの発光強度に対する比である２ライン点灯率αの、複数個の前記２ライン点灯率αから１つを選択する手段とを有し、
選択された前記２ライン点灯率αに基づいて、前記複数のサブフレームのうちの少なくとも１つのサブフレームでの、前記２つのセルの各々の発光強度を変更するように駆動し、
前記表示負荷率の所定の範囲内における第１の表示負荷率での前記２ライン点灯率α１は、前記第１の表示負荷率よりも大きい第２の表示負荷率での前記２ライン点灯率α２に対して、  ０＜α２＜α１＜１  を満足することを特徴とするプラズマディスプレイ装置。
【請求項１８】
前記処理手段は、プログレッシブ信号を前記インタレース信号に変換する手段を含んで構成され、プログレッシブ信号とインタレース信号の何れの入力信号に対しても駆動可能としたことを特徴とする請求項１７に記載のプラズマディスプレイ装置。
【発明の詳細な説明】
【技術分野】
【０００１】
本発明は、プラズマディスプレイパネルの駆動方法に関する。
【背景技術】
【０００２】
駆動電極数を減らすために、隣接するセルの電極を共有する共通電極型プラズマディスプレイパネルという技術がある（特許文献１参照）。この技術を以降Alternate Lighting of Surfaces (ＡＬＩＳ) methodと呼ぶ。ＡＬＩＳパネルでは、図３に示すように、表示ラインをｏｄｄ／ｅｖｅｎのグループに分け、ｏｄｄ（奇数）フィールド期間ではｏｄｄラインを、ｅｖｅｎ（偶数）フィールド期間ではｅｖｅｎラインを点灯させるインタレース駆動をさせる。ＡＬＩＳパネルでは、リブはストレートであり、上下方向に放電が広がるため、ｏｄｄラインだけを点灯している時にも、放電がｅｖｅｎラインの領域まで広がり、輝度が高いという特長を有している。反面上下方向に放電が広がるため上下方向のセルで放電が干渉し、駆動が難しいという欠点もあった。【０００３】
この放電干渉をなくすためにはリブをＢＯＸ型にしてセルの上下方向に境界を作ればよいのだが、こうすると放電が上下方向に広がらなくなり、輝度が低下するという欠点があった。【０００４】
この輝度低下の欠点を克服するために、特許文献２では、同じ１ラインのデータを隣接する上下２ラインで表示し、そのラインの組み合わせをｏｄｄフィールド期間、ｅｖｅｎフィールド期間で交代させる技術が開示されている。例えば、図４に示すように、ｏｄｄフィールドでは組み合わされる２ラインの上側のラインがｏｄｄラインであり、ｅｖｅｎフィールドでは上側のラインがｅｖｅｎラインとする。また別の従来技術として、特許文献３のように、一部のサブフレームのみ隣接する２セルを同じ発光強度で発光させる技術がある。
【特許文献１】特開平９−１６０５２５号公報
【特許文献２】特開２００３−２３３３４６号公報
【特許文献３】特表２００４−５１６５１３号公報
【発明の開示】
【発明が解決しようとする課題】
【０００５】
特許文献２の技術では、画像の上下方向の解像度が低下するという課題があった。画面の上下方向の座標をｙとし、ある上下方向のライン上のデータをs(y)とすると、２ライン同時点灯させた時に表示されるｏｄｄフィールドとｅｖｅｎフィールドの平均画像g(y)は、
【数１】
0004654243.tif 000002
となる。ここでpは上下方向の画素ピッチである。つまり、元の画像に画素ピッチ分ずらした画像を重ねて表示することになる。これはローパスフィルタの効果をもたらす。上下方向の空間周波数をfとすると、そのフィルタ特性h2(f)は
【数２】
0004654243.tif 000003
となる。このローパスフィルタの分だけ上下方向の解像度が落ちる。また、特許文献３の場合も組で発光させるサブフレームのみで表現される階調において同様に解像度低下の問題が生じる。
本発明では、解像度の低下を抑えながら輝度の向上を図る。
【課題を解決するための手段】
【０００６】
本発明では、２セルを点灯させるサブフレームにおいて、組になる２セルの内、主となるセルを決め、もう一方の副となるセルの発光強度を主となるセルの発光強度より弱くすることにより、発光強度と解像度のバランスをとる。【０００７】
さらに、表示負荷率によって必要とされる解像度と、２ライン点灯したときの効果の違いに着目し、表示負荷率に依存した制御を行うことにより、よりきめ細かな制御を行う。【０００８】
現在の一般的なプラズマディスプレイパネル(ＰＤＰ)では、表示負荷率によって輝度が制限される機構が異なる。ＡＰＣ(automatic power control)ポイント（通常１０％から２０％）と呼ばれる表示負荷率より高い負荷率では、パネルの消費電力が一定になるように輝度が制御される。従って、この領域では、単位消費電力当たりの輝度（実効効率）によってパネルの輝度が決まる。説明を簡単にするため、ここでは組になる２セルの強度が同じものとする。２ライン同時に点灯させる場合、輝度は２倍になるが、放電電力も２倍になり、パネル容量の充放電電力も２倍にはならないが増える。従って実効効率はあまり増えず、ＡＰＣポイントから上では２ライン同時点灯を行わなくてもあまり輝度の低下は問題にならない。【０００９】
一方、ＡＰＣポイントから下の負荷率の領域では、サステイン放電回数が一定になるように輝度を制御する。従って、この領域では２ライン同時点灯を行うと輝度が２倍になる。従って本発明では主に、ＡＰＣポイントより下の領域で副となるセルの発光強度を増大させ、解像度が低下するケースを少なくしながらパネル輝度を向上させる。
つまり、表示負荷率によって正副の発光強度の比を調節することにより、よりきめ細かい表示制御を行う。
【発明の効果】
【００１０】
本発明によれば、解像度と輝度のバランスのとれた画像表示を行うことができる。
【図面の簡単な説明】
【００１１】
【図１】図１はＢＯＸ−ＡＬＩＳパネルの説明図である。
【図２】図２はリブと電極の位置関係の説明図である。
【図３】図３は通常のインタレース表示における表示形式の説明図である。
【図４】図４は２ライン表示のインタレース表示の説明図である。
【図５】図５は標準的なプラズマディスプレイパネルの駆動構成の説明図である。
【図６】図６は実施例１における１ライン表示のインタレース駆動構成の説明図である。
【図７】図７は実施例１における２ライン表示のインタレース駆動構成の説明図である。
【図８】図８は実施例１における駆動構成の説明図である。
【図９】図９は実施例１におけるサブレームの構成の説明図である。
【図１０】図１０はＡＰＣ制御の説明図である。
【図１１】図１１は２ライン点灯率制御の説明図である。
【図１２】図１２は実施例１の駆動回路構成の説明図である。
【図１３】図１３は実施例１における駆動波形（ｏｄｄフィールド）の説明図である。
【図１４】図１４は実施例１における駆動波形（ｅｖｅｎフィールド）の説明図である。
【図１５】図１５は実施例１における駆動波形（α＝０の場合、ｏｄｄフィールド）の説明図である。
【図１６】図１６は実施例１における駆動波形（α＝０の場合、ｅｖｅｎフィールド）の説明図である。
【図１７】図１７は実施例２における駆動構成の説明図である。
【図１８】図１８は実施例２の駆動回路の説明図である。
【図１９】図１９は実施例２における駆動波形（ｏｄｄフィールド）の説明図である。
【図２０】図２０は実施例２における駆動波形（ｅｖｅｎフィールド）の説明図である。
【図２１】図２１は実施例２における駆動波形（α＝０の場合、ｏｄｄフィールド）の説明図である。
【図２２】図２２は実施例２における駆動波形（α＝０の場合、ｅｖｅｎフィールド）の説明図である。
【図２３】図２３は実施例３における表示方法の説明図である。
【図２４】図２４は実施例４における２ライン点灯率制御方法の説明図である。
【図２５】図２５は実施例６における制御方法の説明図である。
【符号の説明】
【００１２】
１２、１３  表示電極
１８  アドレス電極
【発明の実施するための最良の形態】
【００１３】
本発明を実施するための最良の形態を説明する。
本発明のプラズマディスプレイモジュール及びプラズマディスプレイ装置の実施例について、図面を用いて説明する。
【実施例１】
【００１４】
実施例１を説明する。図１に本実施例のプラズマディスプレイモジュールのパネル構造を示す。ＢＯＸリブと組合せたＡＬＩＳパネルという意味でＢＯＸ-ＡＬＩＳパネルと呼ぶことにする。図２にパネルを平面視した場合のＢＯＸリブと電極の位置関係を示す。ＢＯＸリブにより放電空間が矩形に区画され、セルが形成される。横に並ぶ１列のセルで横方向の表示ラインが形成される。以後、特に断らない限り表示ラインと言った場合は横方向のラインを意味することとする。ラインピッチは隣接する表示ラインの中心位置の間隔である。【００１５】
このＢＯＸ-ＡＬＩＳで通常のインタレース表示（１ライン表示のインタレース表示）を行うと、図３のような表示形式となる。ｏｄｄフィールドではｏｄｄラインのデータをｏｄｄラインのセルで表示し、ｅｖｅｎフィールドではｅｖｅｎラインのデータをｅｖｅｎラインのセルで表示する。【００１６】
これに対し、特許文献２の技術では、同一のデータを２ラインで表示するインタレース表示を行う。この場合、通常のインタレース表示のように各フィールドにおいて休止するラインがなくなるが、各フィールドで組になる２ラインを１ラインとみなすと、奇数フィールドと偶数フィールドで表示ライン位置のずれた表示となっており、その意味で本発明ではこのような表示もインタレース表示と呼ぶことにする。また、以下で２ラインの発光強度比が１と異なる表示形式の例が出てくるが、そのような表示も概念の拡張としてインタレース表示と呼ぶこととする。【００１７】
さて、２ライン表示のインタレース表示の場合の表示形式を図４に示す。ｏｄｄ（奇）フィールドでは、ｏｄｄラインのデータを、ｏｄｄラインを上とする隣接２ラインで表示する。一方、ｅｖｅｎ（偶）フィールドでは、ｅｖｅｎラインのデータを、ｅｖｅｎラインを上とする隣接２ラインで表示する。【００１８】
図３と図４の表示形式を見て分かるように、２ライン表示のインタレース表示の方が、放電一回当たりの輝度は略２倍になる。さらに、図３と図４の表示を比較して分かるように、２ライン表示のインタレース表示は、１ライン表示のインタレース表示の画像２枚を１ラインピッチ分ずらし、重ねて表示したものである。上述のようにこのような表示は元の画像にローパスフィルタを掛けたものになり、解像度が落ちる。【００１９】
本実施例では、この１ライン表示のインタレース表示と２ライン表示のインタレース表示を組合せて表示する。【００２０】
次にこの組合せ表示を説明するために、まず標準的なＰＤＰ駆動の構成を図５で説明する。1つのフィールド(ｏｄｄ／ｅｖｅｎ)は複数のサブフレーム(ＳＦ)から構成される。図５では作画の都合上６ＳＦ構成を図示しているが、通常は１０ＳＦ構成から１２ＳＦ構成が一般的である。そして、１つのＳＦはリセット期間、アドレス期間、サステイン期間で構成される。リセット期間において、電極上の壁電荷状態を初期化し、アドレス期間において表示データに基づいて壁電荷状態を調整し、サステイン期間で表示データに対応したセルを点灯させる。１つのセルにおいて、１つのサステイン期間では、全期間点灯するか、全期間点灯しないかのどちらかである。どのＳＦで点灯させるかを選択することにより、階調表現を行う。【００２１】
次に１ライン表示のインタレース表示の駆動構成を図６に示す。図６では作図の都合上、４ＳＦ構成としている。１つのフィールドで半分のラインが非点灯になる。一方、特許文献２の技術では、図７に示すように、全ラインが点灯するが、隣接する２ラインは同一データである。【００２２】
本実施例では、部分的に２ライン表示を行い、解像度の低下を抑える。図８に本実施例の駆動構成を示す。組になる２ラインの内、一方（図８では下側だが、上下逆でも構わない）の表示放電数を他方に対して一定の割合で少なくする。これにより、１ライン表示と２ライン表示の中間の画像となる。今少ない方のサステイン放電数の、他方の放電数に対する比をαとする。０＜α＜１である。すなわち、あるフィールドでサステイン放電数を減らさないラインのＳＦが全点灯したときの輝度を１としたとき、もう一方のラインを全点灯した時の輝度がαである。以後、αのことを「２ライン点灯率」とも呼ぶ。製造ばらつきがあったとしても、輝度向上を得るには、望ましくはαは０．０５以上必要である。また、より輝度向上の効果を得るためには、好ましくはαは０．２以上必要である。一方、解像度の向上効果をはっきり得るためには、好ましくはαは０．８以下が必要であり、より好ましくはαは０．５以下が望ましい。図９に１ＳＦだけ抜き出して駆動構成を示す。この時、ある上下方向のラインの表示データをs(y)としたとき、表示されるｏｄｄフィールドとｅｖｅｎフィールドの平均画像は、
【数３】
0004654243.tif 000004
であり、上下方向に作用するローパスフィルタの効果hA(α,f)は、
【数４】
0004654243.tif 000005
となり、（１）式で表される特許文献２の２ライン表示のインタレース画像よりも解像度が向上したことが分かる。例えば、パネルで表示できる原理的な空間周波数の上限であるｆ＝１／２ｐの点で（２）式、（４）式の値を比較すると、
【数５】
0004654243.tif 000006
であり、本実施例の方が、解像度が高い。【００２３】
次に輝度について比較するが、その前に、ＰＤＰにおけるＡＰＣ制御について説明する。議論の本質を変えないので、ＰＤＰの消費電力はサステイン期間で消費される電力のみとする。ここで、サステイン期間で消費される電力は、発光に直接寄与する放電電力と、電極間の容量を充放電する際に消費される無効電力からなる。表示負荷率に対する最大輝度（最高階調時の輝度）と消費電力の関係を図１０に示す。最大輝度と無効電力はサステイン周波数に略比例しており、ＡＰＣポイントより下ではサステイン周波数（最大輝度と無効電力）は一定に保たれ、ＡＰＣポイントより上ではサステイン周波数（最大輝度と無効電力）は負荷率上昇と共に減少する。一方、全電力はＡＰＣポイントより下では負荷率上昇と共に上昇し、ＡＰＣポイントより上では全電力は一定に保たれる。以上が通常行われるＡＰＣ制御である。【００２４】
このＡＰＣ制御を前提にして、２ライン表示時の最大輝度について見てみる。例として、対角４２インチ、画素数１０２４×１０２４（アスペクト比１６：９）、放電ガスＸｅ８％＋Ｈｅ３０％＋Ｎｅ６２％（５００Ｔｏｒｒ）のパネルの例を挙げる。まず、ＡＰＣポイント以下の最大輝度は、サステイン周波数６０ｋＨｚの時、１ライン点灯では、６１８ｃｄ／ｍ2、２ライン点灯（２ライン点灯率１００％）では１２１５ｃｄ／ｍ2となり、２ライン点灯にすることにより略２倍の輝度が出る。一方、表示負荷率１００％時の最大輝度は、全電力２６３Ｗの時、１ライン点灯では２１０ｃｄ／ｍ2、２ライン点灯(２ライン点灯率１００％)では２２２ｃｄ／ｍ2であり、２ライン点灯にしても６％しか輝度が上がらない。これは、ＡＰＣポイントより上では、全電力を一定にする制御をするためである。２ライン点灯にすることにより、サステイン１周期当たり輝度は略２倍になるが、消費電力も増えるため、全電力一定という制御のもとでは、２ライン点灯時のサステイン周波数が１ライン点灯時のサステイン周波数に比較して低下するため、結果として最大輝度は殆ど増えないことになる。表示負荷率１００％時の消費電力の内訳を示すと、１ライン点灯時は、放電電力２０４Ｗ、無効電力５９Ｗであり、サステイン周波数は２６ｋＨｚである。一方で２ライン点灯時（２ライン点灯率１００％）は、放電電力２１５Ｗ、無効電力４８Ｗ、サステイン周波数１４ｋＨｚである。因みに、２ライン点灯にすることによりサステイン１周期当たりの放電電力は２倍になり、無効電力は１．５倍になる。６％の輝度上昇は２ライン点灯にすることにより、全電力に占める無効電力の割合が減るための効果である。【００２５】
以上のように、ＡＰＣポイントより下では２ライン点灯にすることによる輝度上昇の効果は非常に大きいが、表示負荷率１００%では、輝度上昇の効果は殆どない。そのため、負荷率が大きい領域では２ライン点灯率を下げて高解像度の画像にし、逆に負荷率の小さい領域では２ライン点灯率を上げて高輝度の画像にする、という制御を行うとバランスのとれた表示画像となる。２ライン点灯率を表示負荷率の関数として表し、制御例を図１１に示す。例えば、解像度を重視する場合は、ＡＰＣポイントより下の領域でのみ２ライン表示を行い、表示負荷率がある値（例えば１０％）以下から、負荷率が下がるにつれて２ライン点灯率を上昇させる（図１１（ａ）参照）。また、ある負荷率（例えば５％）以下で２ライン点灯率を１００％にしても構わない。一方、輝度を重視する場合はＡＰＣポイントより上の領域を含めて２ライン表示にする（図１１（ｂ）参照）、といった制御が可能である。あるいは、制御を簡単にするために、負荷率によらずに２ライン点灯率を一定にし、輝度と解像度のバランスをみて２ライン点灯率の値を決めてもよい。
【００２６】
最後に、実施例１の駆動回路構成を図１２に、駆動波形を図１３から図１６に示す。アドレス電極駆動回路２２、第１及び第２走査電極駆動回路２３−１、２３−２、制御回路２７を備えている。制御回路２７は、入力映像信号からサブフレーム信号を生成し、フィールド毎に電極を上記したように駆動する制御信号を生成する等の信号処理が行われる。更には、入力映像信号がプログレッシブ信号の場合には、インタレース信号に変換する処理も行われる。ここで、ｏｄｄフィールド期間ではＹ電極（第２走査電極）がスキャン電極となり、ｅｖｅｎフィールド期間ではＸ電極（第１走査電極）がスキャン電極となる。従って、スキャン回路がＸ電極（第１走査電極）、Ｙ電極（第２走査電極）の両方に付く。【００２７】
標準的な駆動波形は図１３と図１４であり、２ライン点灯をする場合の波形である。完全に２ライン点灯になる場合は図１３と図１４の後半サステイン期間がなくなった形になる。完全に１ライン点灯になる場合は駆動波形が少し異なり、図１５、図１６のようになる。すなわち、点灯しないラインにおいて、アドレス時にＡ−Ｙ間放電だけおきて、サステイン放電が起きないと、次のリセットがうまく動作しないことがあり、そのための後処理のパルスを設けている。
【実施例２】
【００２８】
実施例２を説明する。通常のＰＤＰの駆動回路ではスキャン回路はＹ電極用のものがあるだけなのに対し、実施例１の駆動回路ではＸ電極用のスキャン回路も持ち、コスト的に不利である。そこで、実施例２ではスキャン回路をＹ電極のみにする構成を示す。【００２９】
具体的には、２ラインの組をフィールドにより変えず固定することにより、スキャンをＹ電極のみにする。すなわち、Ｙ電極を挟む２ラインがフィールドによらず組になる。但し、ｏｄｄフィールドにおいてはｏｄｄラインがメインラインとなり、ｅｖｅｎフィールドにおいてはｅｖｅｎラインがメインラインになる点は実施例１と同様である。【００３０】
実施例２の駆動の全体構成を図１７に示し、駆動回路を図１８に示す。この場合の駆動波形は図１９から図２２になる。駆動回路は、アドレス電極駆動回路２、走査電極駆動回路３、維持電極駆動回路４、制御回路５などからなる。実施例２では、走査電極回路が１系統のみとなり、回路構成が簡略になる反面、解像度は低下する。本実施例では２ラインの組が固定されるため、２ライン点灯の部分はライン数が半分のプログレッシブの画像となり、この画像成分では、原理的に１／４ｐの空間周波数までしか表現できない。１ライン点灯の画像成分は通常のライン数のインタレース表示であり、もっと高い周波数成分まで表示できる。【００３１】
実施例１と２の選択は回路の簡素さと解像度のどちらを重要視するか、という設計の問題である。
【実施例３】
【００３２】
実施例３を説明する。実施例２の点灯方式は、別の見方をすると、組になる２セルの発光重心にデータを表示していることになる。従って、実施例２のままであると入力データの位置と表示される位置がずれていることになる。このずれを調整するには、入力データから内挿して表示位置のデータを求め、そのデータを表示すればよい。【００３３】
実施例３では、各フィールドで表示するデータをメインラインの位置で示し、Ｄ（ｎ）とすると、入力データをＩ（ｎ）として、
【数６】
0004654243.tif 000007
【数７】
0004654243.tif 000008
となる（図２３参照）。
（６）式、（７）式は、入力信号がインタレース信号の場合であるが、信号が同じライン数のプログレッシブ信号の場合（１０８０ラインのパネルに対して１０８０ｐの信号の場合）、より精度のよい調整ができる。通常は、入力されたプログレッシブ信号を間引いてインタレース信号にした後に表示するのだが、信号を間引かずに次のような式でデータの調整を行う。
【数８】
0004654243.tif 000009
【数９】
0004654243.tif 000010
【００３４】
なお、サブフレームにより２ライン点灯率が異なる場合、全サブフレームの２ライン点灯率の加重平均値（重心位置）を上記計算において用いる。その時の重みは各サブフレームの輝度重みである。
【実施例４】
【００３５】
実施例４を説明する。通常の映像信号では高周波数成分の振幅は小さい。一方、小振幅の成分は、輝度重みの軽い下位のＳＦで表現される。従って、下位のＳＦでは２ライン点灯率を低めに設定し、上位のＳＦでは高めに設定するという方法をとると、実質的な解像度をあまり抑制せずに輝度向上を図ることができる。【００３６】
具体的には、表示負荷率に対する２ライン点灯率の設定を図２４のように、下位ＳＦでは低めに（図２４（ａ））、上位ＳＦでは高めに（図２４（ｂ））設定する。
【実施例５】
【００３７】
実施例５を説明する。上述の実施例では、表示負荷率が小さくなるほど２ライン点灯率を大きくしていたが、負荷率が１００％に近い領域は画面全体が白一色の状態に近いので、この領域でも解像度はそれほど必要なく、２ライン点灯率を大きくしても構わない（図２５ａ参照）。また、負荷率がある一定値よりも大きいときに２ライン点灯率を１００％にしても構わない（図２５ｂ参照）。なお、表示負荷率が０％近傍又は一定値以下で２ライン点灯率を１００％にする必要はなく、例えば８０％以上とすることも可能である。
【実施例６】
【００３８】
実施例６を説明する。解像度を重視するか、輝度を重視するかはユーザにより好みが異なる。従って、２ライン点灯率の設定としては複数のメニューを準備しておき、プラズマディスプレイモジュールを組み込んだプラズマディスプレイ装置のユーザ自身が設定できるようにしておくことが好ましい。例えば、通常のＴＶ番組では輝度の高い設定（２ライン点灯率が高い設定）にし、映画鑑賞では解像度の高い設定（２ライン点灯率が低い設定、極端な場合は全ＳＦ１ライン点灯固定）にするといった設定をユーザができるようにしておく。なお、表示負荷率が０％近傍で２ライン点灯率を１００％にする必要はなく、例えば８０％以上とすることも可能である。
【実施例７】
【００３９】
実施例７を説明する。全ＳＦの２ライン点灯率１００％に固定すると、このパネルは水平ライン数半分のプログレッシブパネルになる。例えば、ライン数が１０８０本であれば、５４０ｐのパネルになる。従って、５４０ｐの映像ソースには５４０ｐのプログレッシブ表示を行うようにするのが好適である。【００４０】
各フィールドで表示するデータをメインラインの位置で示し、Ｄ（ｎ）とし、入力データをＩ（ｎ）とすると
【数１０】
0004654243.tif 000011
【数１１】
0004654243.tif 000012
となる。プログレッシブ表示にするかどうかはプラズマディスプレイ装置のユーザの選択によってもよいし、信号から自動判別してもよい。
【産業上の利用可能性】
【００４１】
プラズマディスプレイモジュール又はプラズマディスプレイ装置の解像度の低下を抑えながら輝度の向上を図り、解像度と輝度のバランスのとれた画像表示を行うことができる。
【図１】
0004654243.tif 000013
【図２】
0004654243.tif 000014
【図３】
0004654243.tif 000015
【図４】
0004654243.tif 000016
【図５】
0004654243.tif 000017
【図６】
0004654243.tif 000018
【図７】
0004654243.tif 000019
【図８】
0004654243.tif 000020
【図９】
0004654243.tif 000021
【図１０】
0004654243.tif 000022
【図１１】
0004654243.tif 000023
【図１２】
0004654243.tif 000024
【図１３】
0004654243.tif 000025
【図１４】
0004654243.tif 000026
【図１５】
0004654243.tif 000027
【図１６】
0004654243.tif 000028
【図１７】
0004654243.tif 000029
【図１８】
0004654243.tif 000030
【図１９】
0004654243.tif 000031
【図２０】
0004654243.tif 000032
【図２１】
0004654243.tif 000033
【図２２】
0004654243.tif 000034
【図２３】
0004654243.tif 000035
【図２４】
0004654243.tif 000036
【図２５】
0004654243.tif 000037